(57)【特許請求の範囲】
【請求項１】
支持ブラケットにスクリーンの巻取軸の芯軸をその軸方向に移動不能に支持する支持孔を設け、該支持孔には前記芯軸を挿入可能とする開口部を設け、該開口部を閉鎖して前記芯軸を前記支持孔に保持する第１の保持手段を有するとともに、前記開口部を閉鎖する開口部閉鎖位置に前記第１の保持手段を弾性的に維持する付勢手段を有するロールブラインドの巻取軸支持装置において、
前記第１の保持手段は、前記開口部を開放する開口部開放位置と前記開口部閉鎖位置との間を回動可能に設けられ、同第１の保持手段には前記開口部閉鎖位置で前記支持ブラケットが保持可能とする突片を設けたことを特徴とするロールブラインドの巻取軸支持装置。
【請求項２】
支持ブラケットにスクリーンの巻取軸の芯軸をその軸方向に移動不能に支持する支持孔を設け、該支持孔には前記芯軸を挿入可能とする開口部を設け、該開口部を閉鎖して前記芯軸を前記支持孔に保持する第１の保持手段を有するとともに、前記開口部を閉鎖する開口部閉鎖位置に前記第１の保持手段を弾性的に維持する付勢手段を有するロールブラインドの巻取軸支持装置において、
前記第１の保持手段は、前記開口部を開放する開口部開放位置と前記開口部閉鎖位置との間を回動可能に設けられ、前記芯軸を前記開口部から挿入する時には該芯軸と所定の傾斜角度で当接可能となるように形成したことを特徴とするロールブラインドの巻取軸支持装置。
【請求項３】
前記第１の保持手段に突片を設け、前記支持ブラケットには前記突片を保持して、前記第１の保持手段を前記開口部閉鎖位置に維持する保持部を設けたことを特徴とする請求項２に記載のロールブラインドの巻取軸支持装置。
【請求項４】
前記第１の保持手段には、前記開口部閉鎖位置において前記芯軸と係合して前記巻取軸を支持する第１の軸受け部を形成したことを特徴とする請求項１乃至３のいずれかに記載のロールブラインドの巻取軸支持装置。
【請求項５】
前記支持ブラケットに第２の保持手段を移動可能に設け、該第２の保持手段には、前記第１の軸受け部と前記芯軸との係合時に該芯軸と係合して前記巻取軸を支持する第２の軸受け部を形成したことを特徴とする請求項４に記載のロールブラインドの巻取軸支持装置。
【請求項６】
前記芯軸に前記第１の軸受け部、及び第２の軸受け部を係合した時、前記支持ブラケットに対し前記第２の保持手段を移動不能に固定する固定手段を設けたことを特徴とする請求項５に記載のロールブラインドの巻取軸支持装置。
【請求項７】
前記支持ブラケットには、前記芯軸と係合して該芯軸を前記第１の保持手段に弾性的に保持する第２の保持手段を設けたことを特徴とする請求項１乃至４のいずれかに記載のロールブラインドの巻取軸支持装置。
【発明の詳細な説明】
【０００１】
【発明の属する技術分野】
この発明は、ロールブラインドの巻取軸端部を支持ブラケットに支持する支持装置に関するものである。
【０００２】
【従来の技術】
従来、ロールブラインドの巻取軸支持装置として、実公平７−１８８７５号公報に開示されたものがある。この支持装置は、支持ブラケットに支持孔が形成されている。ロールブラインドの巻取軸一端に突出される芯軸の先端にはフランジが形成され該フランジは前記支持孔に係合可能となっている。従って、該支持孔には前記芯軸がその軸方向に移動不能に支持される。
【０００３】
前記支持孔の上部は開口されて前記芯軸のフランジを上方から挿入可能となっている。そして、芯軸が支持孔に支持されると、前記巻取軸はその芯軸を支点として回転可能に支持されるようになっている。
【０００４】
前記支持孔の開口部近傍にはストッパが回動可能に設けられ、該ストッパはバネ片の弾性力により前記開口部を閉鎖する位置に向かって付勢されている。従って、前記ストッパを前記バネ片の弾性力に抗して回動させることで前記支持孔の開口部を開閉可能となっている。即ち、芯軸でストッパを押圧して該ストッパを回動させながら芯軸を支持孔に挿入させることによって、前記巻取軸を支持ブラケットに支持可能となっている。
【０００５】
また、前記巻取軸一端には、キャッチカバーが該巻取軸の軸方向に移動可能に設けられ、このキャッチカバーは前記支持ブラケットに嵌合可能となっている。そして、巻取軸の芯軸を支持孔に挿入してキャッチカバーを支持ブラケットに嵌合することによって、ストッパが開口部を閉鎖する位置に保持されるようになっている。即ち、キャッチカバーを支持ブラケットに嵌合することによって、前記支持孔の開口部をストッパで塞いで、巻取軸の芯軸が上方へ抜けるのを防止するようになっている。
【０００６】
【発明が解決しようとする課題】
ところが、上記のような構成では、巻取軸を支持ブラケットに支持させるには、巻取軸の端部を支持ブラケットの取付位置まで持ち上げながら芯軸でストッパを押圧し、該ストッパをバネ片の付勢力に抗して回動させることによって芯軸を支持孔内に挿入する。従って、巻取軸を支持ブラケットに支持させるには、大きな操作力を要するという問題点があった。
【０００７】
特に、従来の巻取軸支持装置では、バネ片の弾性力が作用する方向と該バネ片によってストッパが付勢される方向とは同一方向となる。従って、ストッパに芯軸を押圧して該ストッパを回動させるためには、バネ片の弾性力と同等の力が必要となっていた。バネ片の弾性力を弱くすることでストッパの回動操作に要する力を軽減させることは可能となるが、開口部を閉鎖する位置にストッパを維持させる力が弱くなってしまうという問題が生じる。
【０００８】
また、芯軸のフランジは、その下半分部分のみにおいて支持孔に支持されているので、スクリーンの昇降動作時に巻取軸を上方へ突き上げるような大きな力が作用すると、ストッパー及びキャッチカバーによる保持動作に関わらず、芯軸が支持孔から外れるおそれがある。
【０００９】
この発明は、上記の問題点を解決するためになされたものであり、その目的は、ロールブラインドの巻取軸を支持ブラケットに容易に取り付けることができるとともに、巻取軸を支持ブラケットに確実に保持し得るロールブラインドの巻取軸支持装置を提供することにある。
【００１０】
【課題を解決するための手段】
請求項１では、支持ブラケットにスクリーンの巻取軸の芯軸をその軸方向に移動不能に支持する支持孔を設け、該支持孔には前記芯軸を挿入可能とする開口部を設け、該開口部を閉鎖して前記芯軸を前記支持孔に保持する第１の保持手段を有するとともに、前記開口部を閉鎖する開口部閉鎖位置に前記第１の保持手段を弾性的に維持する付勢手段を有するロールブラインドの巻取軸支持装置において、前記第１の保持手段は、前記開口部を開放する開口部開放位置と前記開口部閉鎖位置との間を回動可能に設けられ、同第１の保持手段には前記開口部閉鎖位置で前記支持ブラケットが保持可能とする突片を設けた。
【００１１】
請求項２では、支持ブラケットにスクリーンの巻取軸の芯軸をその軸方向に移動不能に支持する支持孔を設け、該支持孔には前記芯軸を挿入可能とする開口部を設け、該開口部を閉鎖して前記芯軸を前記支持孔に保持する第１の保持手段を有するとともに、前記開口部を閉鎖する開口部閉鎖位置に前記第１の保持手段を弾性的に維持する付勢手段を有するロールブラインドの巻取軸支持装置において、前記第１の保持手段は、前記開口部を開放する開口部開放位置と前記開口部閉鎖位置との間を回動可能に設けられ、前記芯軸を前記開口部から挿入する時には該芯軸と所定の傾斜角度で当接可能となるように形成した。
【００１２】
請求項３では、前記第１の保持手段に突片を設け、前記支持ブラケットには前記突片を保持して、前記第１の保持手段を前記開口部閉鎖位置に維持する保持部を設けた。
【００１３】
請求項４では、前記第１の保持手段には、前記開口部閉鎖位置において前記芯軸と係合して前記巻取軸を支持する第１の軸受け部を形成した。
請求項５では、前記支持ブラケットに第２の保持手段を移動可能に設け、該第２の保持手段には、前記第１の軸受け部と前記芯軸との係合時に該芯軸と係合して前記巻取軸を支持する第２の軸受け部を形成した。
【００１４】
請求項６では、前記芯軸に前記第１の軸受け部、及び第２の軸受け部を係合した時、前記支持ブラケットに対し前記第２の保持手段を移動不能に固定する固定手段を設けた。
【００１５】
請求項７では、前記支持ブラケットには、前記芯軸と係合して該芯軸を前記第１の保持手段に弾性的に保持する第２の保持手段を設けた。
【００１６】
【発明の実施の形態】
（第一の実施の形態）
以下、この発明を具体化した第一の実施の形態を図１〜図４に基づいて説明する。
【００１７】
図１に示すように、それぞれ別体に設けられる一対の支持ブラケット１ａ，１ｂが窓の上枠２等に固定されている。両支持ブラケット１ａ，１ｂ間には巻取軸３が回転可能に支持され、その巻取軸３から布製等にてなるスクリーン４が吊下支持されている。
【００１８】
前記巻取軸３の一端は一方の支持ブラケット１ａに支持され、他端は他方の支持ブラケット１ｂに設けられる操作装置５の駆動軸に嵌合されている。そして、操作装置５から吊下支持される操作コード６を操作することにより巻取軸３が回転され、その回転に基づいてスクリーン４が昇降される。
【００１９】
図２に示すように、一方の支持ブラケット１ａには掛け止め孔７と複数（図では４つ）のネジ孔８が形成されている。前記支持ブラケット１ａには円形状をなすシャフトキャッチ９が取着可能となっている。このシャフトキャッチ９の後面上部には前記掛け止め孔７に係合可能とした係合突起１０が形成されている。
【００２０】
そして、この係合突起１０を前記掛け止め孔７に係合させた状態で、前記シャフトキャッチ９には、前記ネジ孔８と対応する位置において挿入孔１１が形成されている。即ち、前記シャフトキャッチ９は、その上部に形成される係合突起１０を支持ブラケット１ａの掛け止め孔７に係合させ、取付ネジ等により挿入孔１１を介して前記ネジ孔８に螺入することによって支持ブラケット１ａに取着可能となっている。
【００２１】
前記シャフトキャッチ９には、その前面における中央部から下部にかけて突出して支持部１２が形成され、該支持部１２には支持孔１３が形成されている。前記支持孔１３の下方は開口されて開口部１４となっていて、図３に示すように、前記巻取軸３の一端に突出された芯軸１５を前記開口部１４より支持孔１３に挿入可能となっている。また、前記支持孔１３は前記芯軸１５の先端に形成されるフランジ１６に係合可能となっていて、前記芯軸１５は支持孔１３に対し軸方向に移動不能に支持される。
【００２２】
図２に示すように、前記支持部１２には、第１の保持手段としてのシャフトブロック１７が、前記開口部１４を開放する開口部開放位置と開口部１４を閉鎖する開口部閉鎖位置との間を回動可能に支持される。このシャフトブロック１７はその中心部に回動軸１８が設けられるとともに、該回動軸１８を境に屈曲して形成されている。この回動軸１８に対し、シャフトブロック１７の上半部には断面三角形状にてなる一対の突片１９が回動軸１８と並行して形成されている。
【００２３】
前記支持部１２には、前記シャフトブロック１７の回動軸１８を回転可能に支持する軸孔２０が形成されている。また、この軸孔２０の上方において前記支持部１２には、前記突片１９の移動を可能とした保持部２１が形成されている。
【００２４】
即ち、回動軸１８の回転に基づいて前記シャフトブロック１７が回動されると、前記支持孔１３の開口部１４を開閉可能となっている。そして、前記シャフトブロック１７が前記開口部１４の閉鎖位置に移動すると、前記突片１９が前記保持部２１に保持されて、前記シャフトブロック１７の回動が阻止されるようになっている。
【００２５】
前記シャフトブロック１７の上端部には前記芯軸１５を支持可能とした円弧状の軸受け部２２が形成され、該軸受け部２２は前記芯軸１５のフランジ１６に係合可能となっている。
【００２６】
また、前記シャフトブロック１７の上半部において、前記巻取軸３側における斜面上には溝部２３が形成されている。そして、前記芯軸１５のフランジ１６を前記溝部２３に当接させてシャフトブロック１７の上半部斜面を押圧することにより、該シャフトブロック１７を回動可能となっている。
【００２７】
前記シャフトキャッチ９の後面上部において前記係合突起１０の下方には、板バネ２４を取着可能となっている。この板バネ２４は、前記シャフトブロック１７が屈曲される傾斜角度と同じ角度で屈曲され、その下半部先端が前記シャフトブロック１７上半部の後面側に当接するように取着されている。即ち、図４に示すように、シャフトブロック１７の上半部は、前記板バネ２４によって前記巻取軸３側に付勢されていて、その付勢力によって前記シャフトブロック１７の軸受け部２２が、前記支持孔１３の開口部１４を閉鎖する位置に維持されるようになっている。そして、シャフトブロック１７が開口部１４を閉鎖する状態で、軸受け部２２に前記芯軸１５が支持されるようになっている。
【００２８】
図３及び図４に示すように、前記巻取軸３の一端にはその軸方向に移動可能としたキャッチカバー２５が設けられる。そして、このキャッチカバー２５は、前記支持ブラケット１ａ側にスライドさせて前記シャフトキャッチ９に嵌合可能となっている。
【００２９】
次に、上記のように構成された巻取軸支持装置の作用について説明する。
さて、支持ブラケット１ａに巻取軸３の一端を取り付けるには、該巻取軸３の一端に設けられるキャッチカバー２５を巻取軸３の他端側にあらかじめスライドさせておく。
【００３０】
この状態で、巻取軸３の一端を支持ブラケット１ａまで持ち上げて芯軸１５を開口部１４より挿入する。
次いで、巻取軸３の一端をさらに上方向へ持ち上げ、板バネ２４の付勢力に抗してシャフトブロック１７の上半部斜面を溝部２３に沿って押圧する。すると、シャフトブロック１７が回動して支持孔１３の開口部１４が開放され、芯軸１５は支持孔１３に挿入される。
【００３１】
そして、芯軸１５のフランジ１６が支持孔１３に係合するまで巻取軸３の一端を持ち上げ、同フランジ１６がシャフトブロック１７の上端を越えると、シャフトブロック１７の上半部が板バネ２４の付勢力によって巻取軸３側に押し戻される。即ち、芯軸１５でシャフトブロック１７を押圧し、該シャフトブロック１７を回動させて芯軸１５を支持孔１３に挿入した後は、板バネ２４の付勢力によってシャフトブロック１７が元の位置に自動的に回動され、支持孔１３の開口部１４は再び閉鎖される状態となる。
【００３２】
この状態で、巻取軸３の一端から手を放して芯軸１５のフランジ１６を軸受け部２２に係合させると、図４に示すように、芯軸１５はその軸方向に移動不能に支持される。そして、支持ブラケット１ａ側にキャッチカバー２５をスライドさせて該キャッチカバー２５をシャフトキャッチ９に嵌合させることによって、巻取軸３は支持ブラケット１ａに確実に支持される。
【００３３】
また、支持ブラケット１ａから巻取軸３を取り外すには、キャッチカバー２５をシャフトキャッチ９から外して巻取軸３の一端を持ち上げ、芯軸１５のフランジ１６を支持孔１３に係合させる。つまり、フランジ１６と軸受け部２２との係合を解除する。
【００３４】
次いで、巻取軸３を持ち上げたままシャフトブロック１７の下半部を巻取軸３側に引いて、シャフトブロック１７を回動させる。すると、支持孔１３の開口部１４が開放される状態となり、芯軸１５を下方向にスライドさせることによって巻取軸３を支持ブラケット１ａから取り外し可能となる。
【００３５】
上記のように構成された巻取軸支持装置では、次に示す作用効果を得ることができる。
（１）巻取軸３の芯軸１５が開口部１４より支持孔１３に挿入されると、板バネ２４の付勢力によってシャフトブロック１７が自動的に回動して支持孔１３の開口部１４が閉鎖され、芯軸１５は軸受け部２２に支持可能となる。従って、支持ブラケット１ａに巻取軸３を容易に取り付けることができる。
【００３６】
（２）シャフトブロック１７の軸受け部２２は、芯軸１５のフランジ１６と係合可能となるように形成される。従って、芯軸１５のフランジ１６は、支持孔１３と軸受け部２２でほぼ全周に亘って支持され、巻取軸３を支持ブラケット１ａに確実に支持することができる。
【００３７】
（３）芯軸１５を支持孔１３に挿入するために要する力は、シャフトブロック１７に作用する板バネ２４の弾性力のうち、垂直成分方向に作用する力のみとなる。従って、巻取軸３を支持孔１３に挿入するための操作を軽微な力で行うことができる。
【００３８】
（４）シャフトブロック１７が支持孔１３の開口部１４を閉鎖する位置に移動すると、突片１９が保持部２１に保持されるため、シャフトブロック１７の軸受け部２２が巻取軸３側に傾倒するのを防止することができる。従って、巻取軸３を支持ブラケット１ａに確実に支持させることができる。
【００３９】
（５）シャフトブロック１７の軸受け部２２に芯軸１５を支持させた後、キャッチカバー２５をシャフトキャッチ９に嵌合することによって巻取軸３を支持ブラケット１ａに確実に支持させることができる。
【００４０】
（第二の実施の形態）
図５〜図７は、第二の実施の形態を示す。この実施の形態は、前記第一の実施の形態におけるシャフトキャッチ９の構成を一部変更し、第２の保持手段としてのシャフトロック２８を追加するとともに前記板バネ２４の取着位置を変更して構成したものである。その他の第一の実施の形態と同様な構成部分には同一符号を付してその詳細な説明を省略する。
【００４１】
図５に示すように、シャフトキャッチ２６の下部において支持部２７には、上記したようにシャフトブロック１７が回動可能に支持されている。また、前記シャフトキャッチ２６の上部において前記支持部２７には、シャフトロック２８が上下方向に移動可能に支持される。
【００４２】
このシャフトロック２８はＬ字状に形成され、その中央部には楕円状にてなる挿通孔２９が形成されている。また、前記シャフトキャッチ２６の後面上部において前記係合突起１０の形成位置には円形状にてなる突起３０が形成されている。即ち、突起３０は前記挿通孔２９に挿入可能であるるとともに、該挿通孔２９に対し僅かに上下移動可能となっていて、前記シャフトロック２８は前記シャフトキャッチ２６に上下方向に移動可能に支持される。
【００４３】
図６及び図７に示すように、前記シャフトロック２８の上端は円弧状に形成されるとともに、下端部には前記芯軸１５のフランジ１６を係合可能とした軸受け部３１が形成されている。また、前記シャフトキャッチ２６の上端部には前記シャフトロック２８を係合可能とした凹部３２が形成される。
【００４４】
従って、図６に示すように、芯軸１５がシャフトブロック１７の軸受け部２２に支持された状態で、シャフトロック２８を下方向に移動させると、その軸受け部３１が芯軸１５のフランジ１６と係合する状態となる。また、この状態では、シャフトロック２８が凹部３２に係合して、該シャフトロック２８の上端がシャフトキャッチ２６の外周面と連なる状態となり、前記キャッチカバー２５（固定手段）をシャフトキャッチ２６に嵌合可能となっている。
【００４５】
図５に示すように、前記シャフトキャッチ２６の後面下部には前記板バネ２４を取着可能となっている。即ち、前記板バネ２４は前記シャフトブロック１７の後面側に当接するように前記シャフトキャッチ２６に取着される。
【００４６】
従って、前記第一の実施の形態と同様、シャフトブロック１７の上半部は、前記板バネ２４によって前記巻取軸３側に付勢され、その付勢力によって前記シャフトブロック１７の軸受け部２２が、前記支持孔１３の開口部１４を閉鎖する位置に維持されるようになっている。
【００４７】
上記のように構成された巻取軸支持装置では、支持ブラケット１ａに巻取軸３の一端を取り付けるには、前記第一の実施の形態と同様な取り付け手順によって巻取軸３の芯軸１５を軸受け部２２に支持させる。
【００４８】
そして、図６に示すように、シャフトキャッチ２６に対しシャフトロック２８を下方向に移動させ、芯軸１５のフランジ１６にシャフトロック２８の軸受け部３１を係合させる。即ち、芯軸１５が支持孔１３、各軸受け部２２，３１に支持されている状態でキャッチカバー２５をシャフトキャッチ２６に嵌合する。
【００４９】
すると、シャフトロック２８はシャフトキャッチ２６に対し移動不能となり、巻取軸３は支持ブラケット１ａに確実に支持される。
また、支持ブラケット１ａから巻取軸３を取り外すには、図７に示すように、キャッチカバー２５をシャフトキャッチ２６から外して巻取軸３の一端を持ち上げ、シャフトロック２８とともに芯軸１５を上方向に移動させ、フランジ１６と軸受け部２２との係合を解除する。
【００５０】
次いで、巻取軸３を持ち上げたままシャフトブロック１７の下半部を巻取軸３側に引いて、シャフトブロック１７を回動させる。すると、支持孔１３の開口部１４が開放される状態となるため、芯軸１５を下方向にスライドさせることによって巻取軸３を支持ブラケット１ａから取り外し可能となる。
【００５１】
上記のように構成された巻取軸支持装置では、前記第一の実施の形態で得られた（１），（３），（４）と同様な作用効果に加え、以下に示す作用効果を得ることができる。
【００５２】
（１）芯軸１５のフランジ１６は、支持孔１３及びシャフトブロック１７（第１の保持手段）の軸受け部２２に加え、シャフトロック２８（第２の保持手段）の軸受け部３１に係合される。これにより、第一の実施の形態に比べ芯軸１５のフランジ１６をより確実に支持させることができ、巻取軸３を支持ブラケット１ａに確実に支持できる。
【００５３】
（２）さらに、キャッチカバー２５（固定手段）をシャフトキャッチ２６に嵌合すると、該シャフトキャッチ２６にシャフトロック２８が固定されて、その上下移動が阻止される。従って、芯軸１５と、軸受け部２２及び軸受け部３１との係合状態を維持して巻取軸３を支持ブラケット１ａに確実に支持できるようになる。
【００５４】
（第三の実施の形態）
図８〜図１１は、第三の実施の形態を示す。尚、本実施形態は、上記第二の実施の形態のシャフトキャッチ２６、シャフトブロック１７、及び板バネ２４の構成を一部変更し、第２の保持手段としてロックバネ７０を装着する。従って、上記第一及び第二の実施の形態と同様な構成部分には同一符号を付してその詳細な説明を省略する。
【００５５】
図８に示すように、前記同様にして支持ブラケット１ａにシャフトキャッチ４０が取着され、該シャフトキャッチ４０には、シャフトブロック５０（第１の保持手段）、板バネ６０（付勢手段）、及びロックバネ７０（第２の保持手段）が取着される。
【００５６】
前記シャフトブロック５０は、その回動軸１８が支持部４１の軸孔２０に回動可能に支持され、その回動に基づいて支持孔１３の開口部１４を開放または閉鎖させる。前記板バネ６０は、シャフトブロック５０が屈曲される角度と同じ角度で屈曲され、図９に示すようにシャフトブロック５０の後側（支持ブラケット１ａ側）にて前記シャフトキャッチ４０の下端部後面に取着される。このシャフトキャッチ４０の下端部前面には、図１０及び図１１に示すように斜面４２が形成されている。
【００５７】
図８に示すように、前記シャフトブロック５０は、その下半部中央が切り抜かれて孔部５１が形成されている。尚、この孔部５１は、シャフトブロック５０の製造コストの削減、あるいは後述するように前記巻取軸３を支持ブラケット１ａから取り外す際のシャフトブロック５０の回動操作を容易にさせる目的で形成される。
【００５８】
図８に示すように、前記ロックバネ７０は、略逆Ｕ字状に屈曲されたバネ線がシャフトキャッチ４０側に向かって９０度で屈曲されるとともに、その両先端部が斜め下方に屈曲されて形成されている。
【００５９】
そして、図９に示すようにロックバネ７０は、前記シャフトブロック５０の上方にてシャフトキャッチ４０の後面に形成される案内溝４３内に取着される。このロックバネ７０は、前記芯軸１５のフランジ１６に係合し、該芯軸１５のフランジ１６を前記シャフトブロック５０の軸受け部２２に弾性的に保持する。
【００６０】
詳述すると、前記案内溝４３には傾斜部４３ａが形成されていて、図９に示すように前記軸受け部２２に芯軸１５が支持されると、傾斜部４３ａとロックバネ７０の両先端部との間に若干の隙間が形成されるようになっている。
【００６１】
従って、芯軸１５が支持孔１３内の上方に持ち上げられると、ロックバネ７０の両先端部が前記案内溝４３の傾斜部４３ａに沿うようにして弾性変形し、図１１に示すようにロックバネ７０が上方に持ち上げられる状態となる。
【００６２】
このように、ロックバネ７０が芯軸１５によって上方に持ち上げられ、同ロックバネ７０の両先端部が案内溝４３の傾斜部４３ａに沿って弾性変形するとき、芯軸１５はロックバネ７０の弾性力を受けて下方に付勢される。これにより、図９に示すように芯軸１５のフランジ１６は、支持孔１３，シャフトブロック５０，及びロックバネ７０によりほぼ全周に亘って支持される。
【００６３】
次に、上記のように構成された巻取軸支持装置の作用について説明する。
支持ブラケット１ａに巻取軸３の一端を取り付けるには、前記第一及び第二の実施の形態と同様にして巻取軸３の芯軸１５を開口部１４より挿入し、同巻取軸３の一端を上方向へ持ち上げる。
【００６４】
つまり、シャフトブロック５０の上半部斜面（溝部２３）に巻取軸３の芯軸１５を当接させた状態で、同巻取軸３の一端を板バネ６０の付勢力に抗して上方へ持ち上げる。すると、シャフトブロック５０が回動されて支持孔１３の開口部１４が開放され、芯軸１５は支持孔１３に挿入される。
【００６５】
そして、芯軸１５のフランジ１６がシャフトブロック５０の上端を越えると、該シャフトブロック５０の上半部が板バネ６０の付勢力を受けて巻取軸３側に押し戻される。また、このように芯軸１５のフランジ１６がシャフトブロック５０の上端を越える際には、同フランジ１６に係合しているロックバネ７０が若干上方へと持ち上げられる。これにより、芯軸１５は下方へと付勢される。
【００６６】
従って、シャフトブロック５０が板バネ６０の付勢力により支持孔１３の開口部１４を閉鎖する位置に回動された後、巻取軸３の一端から手を放して芯軸１５のフランジ１６をシャフトブロック５０の軸受け部２２に係合させると、図１０に示すように芯軸１５はその軸方向に移動不能に支持される。つまり、芯軸１５のフランジ１６は、支持孔１３と軸受け部２２とともにロックバネ７０によってほぼ全周に亘って支持される。これにより、芯軸１５に対し該芯軸１５を上方へ持ち上げるような力が作用する場合にも、ロックバネ７０によって芯軸１５が下方へ付勢され、該芯軸１５は軸受け部２２に弾性的に支持される。
【００６７】
その後は、前記同様にして支持ブラケット１ａ側にキャッチカバー２５をスライドさせて該キャッチカバー２５をシャフトキャッチ４０に嵌合させる。
一方、支持ブラケット１ａから巻取軸３を取り外すには、キャッチカバー２５をシャフトキャッチ４０から外して巻取軸３の一端を持ち上げる。つまり、芯軸１５をロックバネ７０の付勢力に抗して上方へと持ち上げ、図１１に示すように同芯軸１５のフランジ１６と軸受け部２２との係合を解除する。
【００６８】
この状態で、シャフトキャッチ４０の下方からマイナスドライバー等を同シャフトキャッチ４０の下端部前面の斜面４２に沿ってシャフトブロック５０の孔部５１内に挿通させる。すると、シャフトブロック５０の下半部は、てこの原理によってシャフトキャッチ４０の前面側（巻取軸側）に向かって若干回動される。その後、シャフトブロック５０の下半部を巻取軸３側に引いて、シャフトブロック５０を回動させることにより支持孔１３の開口部１４が開放される。
【００６９】
従って、この状態から前記同様にして芯軸１５を下方向にスライドさせることによって巻取軸３を支持ブラケット１ａから取り外し可能となる。
上記のように構成された巻取軸支持装置では、前記第一の実施の形態で得られた（１），（３）〜（５）と同様な作用効果に加え、以下に示す作用効果を得ることができる。
【００７０】
（１）芯軸１５のフランジ１６は、支持孔１３及びシャフトブロック５０（第１の保持手段）の軸受け部２２に加え、ロックバネ７０（第２の保持手段）に係合される。これにより、第一の実施の形態に比べ芯軸１５のフランジ１６をより確実に支持させることができ、巻取軸３を支持ブラケット１ａに確実に支持できる。
【００７１】
（２）芯軸１５に対し該芯軸１５を上方に持ち上げるような力が作用する場合にも、ロックバネ７０により芯軸１５が下方に付勢されることにより、該芯軸１５を支持孔１３内に確実に支持させることができる。
【００７２】
（３）シャフトキャッチ４０の下端部前面には斜面４２が形成される。これにより、巻取軸３を支持ブラケット１ａから取り外す際にマイナスドライバ等を使用することにより、シャフトブロック５０の回動操作を容易に行うことが可能である。
【００７３】
（４）また、第二の保持手段としてロックバネ７０を設けることで、巻取軸を確実に支持する機能を具備させ、且つ第二の実施の形態に比べ巻取軸支持装置の構成を簡易なものとすることができる。これにより製造コストを削減させることも可能である。
【００７４】
尚、上記実施の形態は、次に示すように変更して構成してもよい。
・上記各実施の形態において、前記支持ブラケット１ａとシャフトキャッチ９（２６，４０）を一体に構成するようにしてもよい。
・第一及び第二の実施の形態において、前記芯軸１５を挿入可能とする前記開口部１４を設ける位置は前記支持孔１３の下部に限られたものではない。例えば、第一の実施の形態において、前記支持ブラケット１ａに対し前記シャフトキャッチ９を１８０度回転させた状態で取着し、開口部１４を支持孔１３の上部としてもよい。
・第一の実施の形態において、前記板バネ２４は、第二の実施の形態のように、前記シャフトブロック１７の後面側に沿うようにして前記シャフトキャッチ９に設けてもよい。同じく、第二の実施の形態において、前記板バネ２４は、第一の実施の形態のように設けることとしてもよい。
・第三の実施の形態において、キャッチカバー２５は設けなくてもよい。
・第三の実施の形態において、シャフトブロック５０の孔部５１は設けなくてもよい。
【００７５】
上記各実施の形態をまとめると以下のようになる。
（１）前記固定手段は、前記芯軸の軸方向に移動可能に設けられ、前記支持ブラケット及び前記第２の保持手段に嵌合可能とした。この構成によれば、前記芯軸は支持孔、第１の保持手段及び第２の保持手段によって確実に支持可能となる。
【００７６】
（２）前記第２の保持手段は、前記第１の保持手段と前記芯軸との係合時に該芯軸に係合し、前記芯軸の上方への移動に対し該芯軸を下方へ付勢するバネとした。この構成によれば、前記芯軸に対し該芯軸を上方へ持ち上げるような力が作用するときでも、芯軸は下方へ付勢されて該芯軸を第１の保持手段に支持させることができる。
【００７７】
（３）前記支持ブラケットには、前記第１の保持手段を回動可能に支持する支持部材が取着され、前記支持部材には、前記第１の保持手段が前記支持孔の開口部を閉鎖する位置にある状態で同第１の保持手段と当接する面にて斜面が形成されてなる。この構成によれば、支持ブラケットから巻取軸を取り外す際には、第１の保持手段の回動操作を容易に行うことができる。
【００７８】
【発明の効果】
以上詳述したように、この発明はロールブラインドの巻取軸を支持ブラケットに容易に取り付けることができるとともに、巻取軸を支持ブラケットに確実に保持し得るロールブラインドの巻取軸支持装置を提供することができる。
【図面の簡単な説明】
【図１】ロールブラインドを示す正面図である。
【図２】第一の実施の形態の巻取軸支持装置を示す分解斜視図である。
【図３】同じく巻取軸支持装置を示す分解斜視図である。
【図４】同じく巻取軸支持装置を示す断面図である。
【図５】第二の実施の形態の巻取軸支持装置を示す断面図である。
【図６】同じく巻取軸支持装置を示す断面図である。
【図７】同じく巻取軸支持装置を示す断面図である。
【図８】第三の実施の形態の巻取軸支持装置を示す分解斜視図である。
【図９】同じく巻取軸支持装置を示す背面図である。
【図１０】同じく巻取軸支持装置を示す断面図である。
【図１１】同じく巻取軸支持装置を示す断面図である。
【符号の説明】
１ａ    支持ブラケット
３      巻取軸
４      スクリーン
１３    支持孔
１４    開口部
１５    芯軸
１７    第１の保持手段（シャフトブロック）
１９    突片
２４    付勢手段（板バネ）
【図１】
0003593318.tif 000002
【図２】
0003593318.tif 000003
【図３】
0003593318.tif 000004
【図４】
0003593318.tif 000005
【図５】
0003593318.tif 000006
【図６】
0003593318.tif 000007
【図７】
0003593318.tif 000008
【図８】
0003593318.tif 000009
【図９】
0003593318.tif 000010
【図１０】
0003593318.tif 000011
【図１１】
0003593318.tif 000012